(57)【特許請求の範囲】
【請求項１】
電源が接続される入力端子部と、
光源が接続される光源用端子部を含む出力端子部と、
前記入力端子部から電力を受けて前記光源用端子部から前記光源に電力を出力して当該光源を点灯させる点灯回路部と、
前記光源が点灯中である通常点灯時の当該光源の状態を検出する光源状態検出部と、
少なくとも前記光源状態検出部の検出結果を記憶する記憶部と、
前記電源から入力される入力電圧を検出する入力電圧検出部とを備え、
前記点灯回路部は、前記入力電圧検出部で検出された前記入力電圧が前記通常点灯時とは異なる電圧値である場合または前記入力電圧の電圧値が所定パターンで変化する場合に、前記出力端子部を介して、前記記憶部に格納されている記憶データを外部に出力する
ことを特徴とする点灯装置。
【請求項２】
前記所定パターンとして、複数の所定電圧値が設定され、
前記点灯回路部は、前記入力電圧が時間経過に伴って順に各所定電圧値となる場合に、前記記憶データを外部に出力する
ことを特徴とする請求項１記載の点灯装置。
【請求項３】
前記所定パターンとして、複数の所定電圧値および所定時間の組み合わせが設定され、
前記点灯回路部は、前記組み合わせに応じて、前記記憶部から外部に出力する前記記憶データを選択することを特徴とする請求項１記載の点灯装置。
【請求項４】
前記出力端子部は、前記光源の現在の状態を外部に報知するために設けられた信号出力部を含み、
前記点灯回路部は、前記信号出力部を介して前記記憶データを外部に出力する
ことを特徴とする請求項１〜３のいずれか１項に記載の点灯装置。
【請求項５】
前記光源用端子部には、前記光源に代えて抵抗が接続され、
前記点灯回路部は、前記光源用端子部を介して前記記憶データを外部に出力して、前記抵抗の端子電圧から前記記憶データを読み出し可能とする
ことを特徴とする請求項１〜３のいずれか１項に記載の点灯装置。
【請求項６】
前記光源用端子部には、前記光源が接続され、
前記点灯回路部は、前記光源用端子部に接続されている前記光源の点灯状態を制御することによって、前記記憶データを外部に出力する
ことを特徴とする請求項１〜３のいずれか１項に記載の点灯装置。
【請求項７】
樹脂および金属の少なくとも１つからなるケースを備え、前記ケースは、前記点灯回路部および前記記憶部を覆うことを特徴とする請求項１〜６のいずれか１項に記載の点灯装置。
【請求項８】
請求項１〜７のいずれか１項に記載の点灯装置を備えることを特徴とする灯具。
【請求項９】
請求項１〜７のいずれか１項に記載の点灯装置を備えることを特徴とする車両。
【発明の詳細な説明】
【技術分野】
【０００１】
本発明は、光源に電力を供給して上記光源を点灯させる点灯装置ならびにこれを用いた灯具および車両に関する。
【背景技術】
【０００２】
従来から、自動車分野のヘッドライトの光源としてハロゲン球または高圧放電灯が用いられているが、近年、ＬＥＤも用いられるようになってきた。現在のＬＥＤを用いたヘッドライトは、ＬＥＤを複数個用いることによって光量を確保している。ハロゲン球または高圧放電灯をヘッドライトの光源として用いる場合、光源が１つであり、光源が故障したときに光を発しない（消灯する）ため、ユーザは光源の故障をすぐに認識することができる。一方、ＬＥＤをヘッドライトの光源として用いる場合、光源が複数個であり、一部のＬＥＤが故障し、光量が確保できなくなったとしても、残りのＬＥＤが光を発する（消灯しない）ため、ユーザは光源の故障をすぐに認識することができない恐れがある。このため、ＬＥＤ点灯装置は、光源が故障した場合に、ユーザに警告するために報知信号を外部に出力する機能を有している。報知信号は、光源の正常と異常とをハイ（Ｈ）とロー（Ｌ）の２つのレベルで示している。
【０００３】
光源が高圧放電灯である場合も、高圧放電灯の電圧値が基準電圧範囲外となったときに、高圧放電灯が寿命または故障であると判断して、ユーザに報知する点灯装置が知られている（例えば特許文献１参照）。
【０００４】
また、特許文献２には、点灯回路の故障を検出し、故障原因を記憶部（ＥＥＰＲＯＭ）に記憶する点灯装置が開示されている。記憶部への記憶対象を回路故障ではなく、光源の状態とすることも当然可能である。
【０００５】
ところで、自動車分野のヘッドライトの点灯装置は、防水加工を施す必要があるため、記憶部を含む点灯回路がケースで覆われている。例えば、金属製または金属＋樹脂製のケースに点灯回路が収納され、ケース内部が充填剤で充填され、その後、ケースの開口部が金属製または金属＋樹脂製の蓋で覆われる。他の例としては、金属製または金属＋樹脂製のケースに点灯回路が収納され、ケースの開口部が金属製または金属＋樹脂製の蓋で覆われ、その後、ケースと蓋の接合部がシール材などで封止される。
【０００６】
建築物の屋内に用いられる照明器具分野においても、光源として蛍光灯、高圧放電灯またはＬＥＤが用いられている。照明器具分野の点灯装置においても、光源の状態を記憶部に記憶する機能を持たせることができる。照明器具分野の点灯装置も、自動車用の点灯装置と同様に、記憶部を含む点灯回路がケースに収納され、ケース内部が充填剤で充填される場合がある。
【先行技術文献】
【特許文献】
【０００７】
【特許文献１】特開平６−２４３９７９号公報
【特許文献２】特開２０００−８２５９２号公報
【発明の概要】
【発明が解決しようとする課題】
【０００８】
放電灯やＬＥＤの光源（負荷）の状態などを記憶部に記憶する機能を有する点灯装置において、記憶部に格納されている記憶データを読み出す場合、記憶部に直接接続する方法が考えられる。
【０００９】
しかしながら、従来の点灯装置は、上述したように、点灯回路がケースに収納され、ケース内部が充填剤で充填されたり、ケースと蓋の接合部が封止されたりしている。このため、記憶部に格納されている記憶データを読み出す場合に、作業者が点灯装置を破壊（例えば蓋を開けたり、接合部の封止材料を破壊したり、充填剤を除去したりする）する必要がある。点灯装置の性能に問題がなくても、記憶データを読み出すために、蓋を開けてしまったり、封止材料を破壊したりすると、製品として使用できなくなる。
【００１０】
一方、点灯回路がケースに収納されず、ケース内部も充填剤で充填されずに、点灯回路が照明器具に組み込まれている場合も、照明器具への実装方法（方向）によっては、記憶部に直接接続することができない場合がある。
【００１１】
また、点灯装置を破壊せずに記憶データを読み出すために、記憶データを外部に出力するための専用端子を点灯装置に設けることが考えられる。
【００１２】
しかしながら、記憶データを外部に出力するためだけの専用端子を備えることは、点灯装置のコストが高くなるという問題があった。
【００１３】
本発明は上記の点に鑑みて為され、本発明の目的は、点灯装置を破壊せず、低コストでありながら、記憶部に格納されている記憶データを作業者が簡単に読み出すことができる点灯装置ならびにこれを用いた灯具および車両を提供することにある。
【課題を解決するための手段】
【００１４】
本発明の点灯装置は、電源が接続される入力端子部と、光源が接続される光源用端子部を含む出力端子部と、前記入力端子部から電力を受けて前記光源用端子部から前記光源に電力を出力して当該光源を点灯させる点灯回路部と、前記光源が点灯中である通常点灯時の当該光源の状態を検出する光源状態検出部と、少なくとも前記光源状態検出部の検出結果を記憶する記憶部と、前記電源から入力される入力電圧を検出する入力電圧検出部とを備え、前記点灯回路部は、前記入力電圧検出部で検出された前記入力電圧が前記通常点灯時とは異なる電圧値である場合または前記入力電圧の電圧値が所定パターンで変化する場合に、前記出力端子部を介して、前記記憶部に格納されている記憶データを外部に出力することを特徴とする。
【００１５】
この点灯装置において、前記所定パターンとして、複数の所定電圧値が設定され、前記点灯回路部は、前記入力電圧が時間経過に伴って順に各所定電圧値となる場合に、前記記憶データを外部に出力することが好ましい。
【００１６】
この点灯装置において、前記所定パターンとして、複数の所定電圧値および所定時間の組み合わせが設定され、前記点灯回路部は、前記組み合わせに応じて、前記記憶部から外部に出力する前記記憶データを選択することが好ましい。
【００１７】
この点灯装置において、前記出力端子部は、前記光源の現在の状態を外部に報知するために設けられた信号出力部を含み、前記点灯回路部は、前記信号出力部を介して前記記憶データを外部に出力することが好ましい。
【００１８】
この点灯装置において、前記光源用端子部には、前記光源に代えて抵抗が接続され、前記点灯回路部は、前記光源用端子部を介して前記記憶データを外部に出力して、前記抵抗の端子電圧から前記記憶データを読み出し可能とすることが好ましい。
【００１９】
この点灯装置において、前記光源用端子部には、前記光源が接続され、前記点灯回路部は、前記光源用端子部に接続されている前記光源の点灯状態を制御することによって、前記記憶データを外部に出力することが好ましい。
【００２０】
この点灯装置において、樹脂および金属の少なくとも１つからなるケースを備え、前記ケースは、前記点灯回路部および前記記憶部を覆うことが好ましい。
【００２１】
本発明の灯具は、上記点灯装置を備えることを特徴とする。
【００２２】
本発明の車両は、上記点灯装置を備えることを特徴とする。
【発明の効果】
【００２３】
本発明によれば、記憶部に格納されている記憶データを、出力端子部を介して外部に出力することができるので、点灯装置を破壊することなく、作業者が簡単な作業で上記記憶データを読み出すことができる。
【００２４】
また、本発明によれば、他の機能を実現するために設けられた出力端子部を介して記憶部の記憶データを外部に出力することによって、記憶部の記憶データを読み出すための構造（端子）を新たに追加する必要がない。これにより、本発明では、上記構造を備える場合に比べて、上記構造に関するコストアップを防止することができる。
【図面の簡単な説明】
【００２５】
【図１】実施形態１において、（ａ）は点灯装置の構成を示す回路図、（ｂ）は記憶部の記憶データを読み出す場合に用いられるデータ読出用電源を示す図、（ｃ）は記憶部の記憶データを読み出す場合に用いられる受信回路を示す図である。
【図２】同上に係る点灯装置の入力電圧の特性を示す図である。
【図３】同上に係る点灯装置の動作を示すフローチャートである。
【図４】同上の変形例に係る点灯装置の構成を示す回路図である。
【図５】同上の変形例に係る点灯装置の構成を示す回路図である。
【図６】同上の変形例に係る点灯装置の構成を示す回路図である。
【図７】整流回路から出力された後の電圧の特性を示す図である。
【図８】入力電圧の特性を示す図である。
【図９】実施形態２に係る点灯装置の入力電圧の特性を示す図である。
【図１０】同上に係る点灯装置の動作を示すフローチャートである。
【図１１】実施形態３に係る点灯装置の入力電圧の特性を示す図である。
【図１２】同上の変形例に係る点灯装置の入力電圧の特性を示す図である。
【図１３】同上の変形例に係る点灯装置の入力電圧の特性を示す図である。
【図１４】入力電圧および経過時間とアドレスとの関係を示す図である。
【図１５】入力電圧とアドレスとの関係を示す図である。
【図１６】点灯装置の入力電圧の特性を示す図である。
【図１７】入力電圧とアドレスとの関係を示す図である。
【図１８】実施形態４に係る点灯装置の構成を示す回路図である。
【図１９】実施形態５に係る点灯装置の出力側を示す回路図である。
【図２０】極性反転回路の回路図である。
【発明を実施するための形態】
【００２６】
以下の実施形態１〜５では、光源に電力を供給して上記光源を点灯させるために用いられる点灯装置について説明する。
【００２７】
（実施形態１）
実施形態１に係る点灯装置１は、図１に示すように、光源４が接続される光源用端子部１１と、電源５が接続される入力端子部１２と、光源４に電力を供給するための電力供給回路１３と、光源４への電力供給を制御する制御回路１４と、制御回路１４へ電力供給する制御電源１５とを備えている。さらに、点灯装置１は、光源４に流れる出力電流の電流値を検出する出力電流検出回路１６と、光源４に印加される出力電圧の電圧値を検出する出力電圧検出回路１７と、入力電圧Ｖｉの電圧値を検出する入力電圧検出回路１８とを備えている。
【００２８】
図１（ａ）は、光源４を点灯させる場合の構成を示す回路図である。点灯装置１は、通常点灯動作モードにおいて、電源５から入力される入力電圧Ｖｉを所定の電圧値に変換し光源４に印加して上記光源４を点灯させる。図１（ｂ）は、点灯装置１に格納されている記憶データを読み出す場合に用いられるデータ読出用電源５２であり、図１（ｃ）は、記憶データを読み出す場合に用いられる受信回路７である。
【００２９】
光源用端子部１１は、１組の端子１１１，１１２からなり、光源４が接続される。光源用端子部１１は、所定の機能を実現するために設けられた出力端子部の一つである。
【００３０】
光源４は、例えばＬＥＤ（Light Emitting Diode）４１、高圧放電灯４２（図４参照）または蛍光灯４３（図６参照）などである。
【００３１】
入力端子部１２は、１組の端子１２１，１２２からなり、光源４を点灯させる場合、点灯用電源５１が接続される。一方、記憶データを読み出す場合、入力端子部１２には、点灯用電源５１に代えて、図１（ｂ）に示すようなデータ読出用電源５２が接続される。
【００３２】
図１に示す点灯用電源５１およびデータ読出用電源５２は、ともに直流電源である。点灯用電源５１は、光源４の種類および仕様に応じて予め設定された値の電圧を点灯装置１に出力する。データ読出用電源５２は、入力電圧Ｖｉの電圧値を変化させる機能を有している。
【００３３】
電力供給回路１３は、トランスＴ１と、トランスＴ１の１次側に直列に接続されているスイッチング素子Ｑ１および抵抗Ｒ１と、トランスＴ１の２次側に接続されているダイオードＤ１およびコンデンサＣ１とを備えている。電力供給回路１３は点灯回路部に相当する。
【００３４】
出力電流検出回路１６は、電力供給回路１３のコンデンサＣ１に直列に接続されている抵抗Ｒ４であり、光源４が通常動作中（通常点灯中）であるときに光源４に流れる出力電流の電流値を検出する。出力電流検出回路１６は光源状態検出部に相当する。
【００３５】
出力電圧検出回路１７は、直列に接続された抵抗Ｒ５および抵抗Ｒ６であり、電力供給回路１３の出力側つまり電力供給回路１３と光源用端子部１１との間に設けられ、光源４が通常動作中であるときに光源４に印加される出力電圧の電圧値を検出する。出力電圧検出回路１７は光源状態検出部に相当する。
【００３６】
入力電圧検出回路１８は、直列に接続された抵抗Ｒ２および抵抗Ｒ３であり、電力供給回路１３の入力側つまり電力供給回路１３と入力端子部１２との間に設けられ、入力電圧Ｖｉの電圧値を検出する。入力電圧検出回路１８は入力電圧検出部に相当する。
【００３７】
制御回路１４は、データ（情報）の処理機能および演算機能を有するマイコン２１と、ＰＷＭ（Pulse Width Modulation）信号を生成して出力するＰＷＭ出力回路２２と、各種データを記憶する機能を有する記憶部２３とを備えている。記憶部２３を除く制御回路１４は点灯回路部に相当する。制御電源１５は、入力端子部１２の端子（正極側端子）１２１に接続されているスイッチ６がオンの場合に、制御回路１４に電力を供給する。
【００３８】
マイコン２１は、判定機能と点灯制御機能と情報出力機能とを実行する。マイコン２１は、判定機能として、入力電圧検出回路１８で検出された入力電圧Ｖｉｎが閾値時間継続して基準電圧範囲ΔＶ内に含まれるか否かを判定する。閾値時間は、予め設定された時間である。基準電圧範囲ΔＶは、予め設定された範囲である。
【００３９】
マイコン２１は、入力電圧Ｖｉｎが閾値時間継続して基準電圧範囲ΔＶ内に含まれていると判定した場合、通常点灯動作モードになり、点灯制御機能として、光源用端子部１１に接続されている光源４を点灯制御する。一方、入力電圧Ｖｉｎが閾値時間継続して基準電圧範囲ΔＶ内に含まれていないと判定した場合、マイコン２１は、データ出力モードになり、情報出力機能として、光源用端子部１１を介して、記憶部２３に格納されている記憶データを外部に出力する。つまり、マイコン２１は、通常点灯時とは異なる電圧値である場合に、光源用端子部１１を介して記憶部２３の記憶データを外部に出力する。
【００４０】
記憶部２３は、例えばフラッシュメモリまたはＥＥＰＲＯＭ（Electrically Erasable Programmable Read Only Memory）などであり、出力電流検出回路１６および出力電圧検出回路１７の検出結果などの各種データを記憶する。つまり、記憶部２３は、出力負荷の状態を記憶する。記憶部２３は、図１に示すようにマイコン２１に内蔵されていてもよいし、マイコン２１とは分離されていてもよく（図４参照）、点灯装置１の仕様に合わせて適宜選択される。
【００４１】
記憶部２３に格納される光源４の検出結果に関する記憶データの仕様としては、例えば、（１）光源状態の検出結果の検出値、（２）検出値を用いた判定の結果である判定値（正常／異常の値）、（３）光源４の累積点灯時間、（４）光源４の点滅回数、（５）データ数などが、必要に応じて設定される。設定される仕様は、（１）〜（５）のいずれか１つであってもよいし、（１）〜（５）のいくつかであってもよく、用途などに応じて適宜設定される。
【００４２】
（１）の場合、記憶部２３に格納される記憶データとして、出力電流の電流値（出力電流検出値）と出力電圧の電圧値（出力電圧検出値）とが設定される。
【００４３】
（２）の場合、記憶部２３に格納される記憶データとして、正常値と異常値との２値のみが設定されてもよいし、正常／異常０／異常１／…／異常ｎのように正常値と複数の異常値とが設定されてもよい。複数の異常値が設定される場合、各々の異常値には、異なる種類の異常が設定される。具体例として、「異常０」を短絡（すべてのＬＥＤ４１が短絡状態）、「異常１」を一部短絡（一部のＬＥＤ４１が短絡状態）、「異常２」を開放（少なくと１つのＬＥＤ４１が開放状態）に設定される。
【００４４】
（３）の場合、記憶部２３に格納される記憶データとして、検出値を用いた判定の結果が正常であるときの累積点灯時間と、検出値を用いた判定の結果が異常であるときの累積点灯時間と、上記２つの累積点灯時間の和とが設定される。
【００４５】
（４）の場合、記憶部２３に格納される記憶データとして、光源４が正常時の点灯回数と、光源４が異常時の点灯回数と、上記２つの点灯回数の和とが設定される。
【００４６】
（５）の場合、記憶部２３に格納される記憶データとして、（１）〜（４）の各々のデータ数と、（１）〜（４）の全データ数とが設定される。
【００４７】
記憶部２３への書き込みタイミングは、例えば、電源５のオフ時のみであってもよいし、電源５のオフ時までに少なくとも１回（例えば１秒間隔で定期的）であってもよい。書き込み条件としては、書き込みタイミングごとに常に書き込んでもよいし、書き込みタイミングにおいて前回の結果と異なる場合に書き込んでもよい（例えば、前回正常で今回異常の場合に書き込む）。
【００４８】
なお、記憶部２３に格納される記憶データの仕様や記憶部２３への書き込みタイミング、書き込み条件は、上述した例に限定されず、用途などに応じて適宜設定される。
【００４９】
マイコン２１は、出力電流検出回路１６および出力電圧検出回路１７の各検出値に応じて、マイコン２１に保存されているデータテーブルを参照して出力電力制御量を演算し、ＰＷＭ信号をＰＷＭ出力回路２２に向けて出力する。マイコン２１から出力されたＰＷＭ信号は、ＰＷＭ出力回路２２に入力されるまでに、積分回路およびＤＡコンバータ（図示せず）によって直流信号に変換され、電力指令値信号（電流指令値信号）としてＰＷＭ出力回路２２に入力される。
【００５０】
ＰＷＭ出力回路２２は、電力供給回路１３のスイッチング素子Ｑ１のオン／オフによってトランスＴ１の１次側に流れる電流（１次電流）を抵抗Ｒ１で検出し、１次電流信号として取得する。ＰＷＭ出力回路２２は、電力指令値信号と１次電流信号とを比較し、スイッチング素子Ｑ１の駆動信号であるＰＷＭ信号を発生させる。
【００５１】
電力供給回路１３では、ＰＷＭ信号（駆動信号）により、スイッチング素子Ｑ１がオン／オフし、トランスＴ１を介してダイオードＤ１およびコンデンサＣ１へ電流が流れることで、出力電力（出力電流）を制御することができる。
【００５２】
電源５から供給される入力電圧Ｖｉは、次のようにして検出される。図１に示すように電源５が直流電圧源である場合、入力電圧検出回路１８が入力電圧Ｖｉを検出する。具体的には、入力電圧Ｖｉを２つの抵抗Ｒ２，Ｒ３で分圧し、分圧された電圧をマイコン２１のＡＤコンバータ機能のある端子に入力し、電源電圧に対応した入力電圧Ｖｉｎを読み込む。
【００５３】
マイコン２１は、点灯装置１への電源投入後から入力電圧Ｖｉの検出を開始し、所定間隔おきに入力電圧Ｖｉを検出する（サンプリングする）。
【００５４】
マイコン２１は、入力端子部１２に所定電圧値以上を所定時間以上の入力電圧Ｖｉが印加された場合、または、所定電圧値以下を所定時間以上の入力電圧Ｖｉが印加された場合に、通常点灯動作モードではなく、データ出力モードに移行する。上記のような入力電圧Ｖｉは、図１（ｂ）のデータ読出用電源５２で実現することができる。データ出力モードに移行した場合、マイコン２１は、一旦光源４を点灯させ、所定時間が経過した後または光源４が安定状態になった後に、電力供給回路１３の出力を変化させ、光源４の光出力を変化させてデジタル値０／１を実現し、記憶部２３の記憶データを外部に出力する。出力信号の形態は、ＵＲＡＴ（Universal Asynchronous Receiver Transmitter）やＣＡＮ（Controller Area Network）、ＬＩＮ（LocalInterconnect Network）などのプロトコルに従った形態である。
【００５５】
例えば図２（ａ）に示すように、入力電圧Ｖｉｎが基準電圧範囲ΔＶの上限値Ｖ１より高い電圧値Ｖ２以上であり、所定の第１の時間ｔ１継続することを検出した場合に、マイコン２１は、光源用端子部１１を介して記憶部２３の記憶データを外部に出力する。
【００５６】
記憶データの出力を継続したい場合は、入力電圧Ｖｉｎを電圧値Ｖ２以上に継続して設定すればよい。記憶データの出力を停止する場合は、入力電圧Ｖｉｎを電圧値Ｖ２未満に設定すればよい。ただし、入力電圧Ｖｉｎを基準電圧範囲ΔＶに設定すると、点灯動作が実行される。
【００５７】
記憶データは、例えば図１（ｃ）に示すような受信回路７によって受信される。受信回路７は、フォトダイオードＰＤ１と、抵抗Ｒ７と、端子７１と、フォトＩＣ（図示せず）とを備えている。受信回路７に、記憶データの出力に用いられたプロトコルに従って出力信号Ｓ１を受信可能な機器（図示せず）が接続され、上記機器が記憶データを読み取る。
【００５８】
なお、光源４の光出力によって記憶データを外部に出力する方法としては、例えば、光源４のオン／オフによってデジタル値０／１を実現する方法、光源４の全灯／調光によってデジタル値０／１を実現する方法、または、光源４の第１の調光レベル／第２の調光レベルによってデジタル値０／１を実現する方法などがある。
【００５９】
次に、本実施形態に係る点灯装置１の動作について図３を用いて説明する。まず、電源投入後、マイコン２１は、時間カウント値をクリアし（図３のＳ１）、入力電圧Ｖｉｎが基準電圧範囲ΔＶである状態で時間ｔ０経過したか否かを判定する（Ｓ２）。ステップＳ２において時間ｔ０が経過したと判定した場合、マイコン２１は通常点灯動作モードになり、点灯装置１は通常の点灯動作を行う（Ｓ７）。ステップＳ２において時間ｔ０が経過していないと判定した場合、マイコン２１は、入力電圧Ｖｉｎが電圧値Ｖ２以上であるか否かを判定する（Ｓ３）。入力電圧Ｖｉｎが電圧値Ｖ２未満である場合、ステップＳ１に戻り、マイコン２１は時間カウント値をクリアする。入力電圧Ｖｉｎが電圧値Ｖ２以上である場合、マイコン２１は時間カウント値をインクリメントし（Ｓ４）、時間カウント値が第１の時間ｔ１以上であるか否かを判定する（Ｓ５）。時間カウント値が第１の時間ｔ１未満である場合、ステップＳ２に戻る。時間カウント値が第１の時間ｔ１以上である場合、マイコン２１は、記憶データの出力を確定し、記憶データを外部に出力する（Ｓ６）。その後、ステップＳ１に戻り、マイコン２１は時間カウント値をクリアする。
【００６０】
このような点灯装置１は、樹脂および金属の少なくとも１つからなるケース（図示せず）を備えている。上記ケースは、電力供給回路１３と制御回路１４と記憶部２３とを収納して覆っている。上記ケースは、さらに制御電源１５と出力電流検出回路１６と出力電圧検出回路１７と入力電圧検出回路１８とを収納して覆っている。
【００６１】
以上、本実施形態の点灯装置１によれば、記憶部２３に格納されている記憶データを、出力端子部（光源用端子部１１）を介して外部に出力することができるので、点灯装置１を破壊することなく、作業者が簡単な作業で上記記憶データを読み出すことができる。
【００６２】
また、本実施形態の点灯装置１によれば、他の機能を実現するために設けられた出力端子部（光源用端子部１１）を介して記憶部２３の記憶データを外部に出力することによって、記憶部２３の記憶データを読み出すための構造（端子）を新たに追加する必要がない。これにより、本実施形態の点灯装置１では、上記構造を備える場合に比べて、上記構造に関するコストアップを防止することができる。
【００６３】
さらに、本実施形態の点灯装置１によれば、記憶部２３の記憶データを読み出す際に、光源４を取り外す必要がなく、作業者の工数を低減することができる。光源４が不点灯となった場合でも、他の光源４を用いて記憶部２３の記憶データを読み出すことができる。
【００６４】
また、本実施形態の点灯装置１によれば、電力供給回路１３、制御回路１４および記憶部２３などがケース（図示せず）で覆われているので、防水および防塵の機能を高めることができる。
【００６５】
なお、光源４が高圧放電灯４２である場合、点灯装置１は、図４に示すように、電力供給回路１３が極性反転回路３１を付加した構成になる。極性反転回路３１は、出力電流の流れる方向を反転させるための回路である。出力電力制御は、図１の構成と同様である。電源５からの電力は、スイッチ６１のオンオフによって、端子１２３を介して制御電源１５に供給される。光源用端子部１１には、イグナイタ回路３５を介して高圧放電灯４２が接続されている。なお、光源４が接続される光源用端子部１１には、光源４が直接接続される場合だけではなく、イグナイタ回路３５を介して光源４が接続される場合も含まれる。
【００６６】
また、光源４が高圧放電灯４２である場合の別の構成として、図５に示すような構成がある。図５は、電源５が交流電源である場合の例である。図５に示す点灯装置１の電力供給回路１３は、整流回路３２と、昇圧チョッパ回路３３と、平滑コンデンサＣ２と、降圧チョッパ回路３４と、極性反転回路３１と、イグナイタ回路３５とを備えている。図示していないが、点灯装置１は、図１の構成と同様に制御電源１５とＰＷＭ出力回路２２とを備えている。図５に示す構成では、入力電圧検出回路１８が昇圧チョッパ回路３３の出力側に設けられた構成であるが、入力電圧検出回路１８が整流回路３２と昇圧チョッパ回路３３との間に設けられた構成であってもよい。図５の電力供給回路１３では、整流回路３２により交流電圧から直流電圧へ変換し、昇圧チョッパ回路３３により電圧を昇圧し、降圧チョッパ回路３４により、光源４への出力電力を制御する。極性反転回路３１は図４の極性反転回路３１と同様である。イグナイタ回路３５は、高圧放電灯４２の絶縁破壊用のための高圧パルスを発生させる回路である。マイコン２１は、出力電圧および出力電流を用いて電力制御量を決定し、降圧チョッパ回路３４を制御して、高圧放電灯４２への出力電力を制御する。
【００６７】
光源４が高圧放電灯４２である場合、記憶部２３に格納される記憶データの仕様として、「異常０」を短絡、「異常１」を低ランプ電圧、「異常２」を高ランプ電圧に設定される。
【００６８】
さらに、光源４が蛍光灯４３である場合、図６に示すような構成になる。図６に示す点灯装置１の電力供給回路１３は、整流回路３２と、昇圧チョッパ回路３３と、平滑コンデンサＣ２と、インバータ回路３６と、共振回路３７とを備えている。共振回路３７は、インダクタＬ１と、２つのコンデンサＣ３，Ｃ４とからなる。光源用端子部１１は、４つの端子１１１〜１１４を備えている。図示していないが、点灯装置１は、図１の構成と同様に制御電源１５とＰＷＭ出力回路２２とを備えている。図６に示す構成では、入力電圧検出回路１８が整流回路３２と昇圧チョッパ回路３３との間に設けられた構成であるが、図５と同様に入力電圧検出回路１８が昇圧チョッパ回路３３の出力側に設けられた構成であってもよい。図６の電力供給回路１３では、整流回路３２により交流電圧から直流電圧へ変換し、昇圧チョッパ回路３３により電圧を昇圧し、インバータ回路３６と共振回路３７とにより、光源４への出力電力を制御する。マイコン２１は、出力電圧により電力制御量を決定し、インバータ回路３６と共振回路３７とを制御し、蛍光灯４３への出力電力を制御する。
【００６９】
光源４が蛍光灯４３である場合、記憶部２３に格納される記憶データの仕様として、「異常０」を片側フィラメントのエミッタレス、「異常１」を両側フィラメントのエミッタレス、「異常２」を開放（フィラメント切れ）に設定される。
【００７０】
なお、記憶データを外部に出力するための他の方法として、図２（ｂ）に示すように、入力電圧Ｖｉｎが基準電圧範囲ΔＶの下限値Ｖ０より低い電圧値Ｖ２以下であり、所定の第１の時間ｔ１継続することを検出した場合に、マイコン２１は、光源用端子部１１を介して記憶部２３の記憶データを外部に出力してもよい。
【００７１】
図２（ｂ）において、記憶データの出力を継続したい場合は、入力電圧Ｖｉｎを常に電圧値Ｖ２以下になるように設定すればよい。記憶データの出力を停止する場合は、入力電圧Ｖｉｎを電圧値Ｖ２より高くなるように設定すればよい。ただし、入力電圧Ｖｉｎを基準電圧範囲ΔＶに設定すると、点灯動作が実行される。
【００７２】
また、図５，６に示すように電源５が交流電圧源である場合、入力電圧検出回路１８は、整流回路３２で全波整流された電圧、または、整流回路３２で全波整流され、平滑コンデンサＣ２で平滑された直流電圧を検出する。各電圧を２つの抵抗Ｒ２，Ｒ３により分圧し、分圧された電圧をマイコン２１のＡＤコンバータ機能のある端子に入力し、入力した電圧を入力電圧Ｖｉｎとして読み込む。
【００７３】
図５に示す点灯装置１において、入力電圧検出回路１８が整流回路３２で全波整流された電圧を検出する場合、マイコン２１は、図７に示すようにピーク電圧値に近い値を検出することができるサンプリング周期で電圧値を読み込み、ピーク電圧値を用いて判定する。
【００７４】
光源４が高圧放電灯４２または蛍光灯４３である場合、光源４の光出力によって記憶データを外部に出力する方法としては、光源４の全灯／調光によってデジタル値０／１を実現する方法、または、光源４の第１の調光レベル／第２の調光レベルによってデジタル値０／１を実現する方法などがある。なお、光源４が高圧放電灯４２である場合、図８（ａ）に示すように周期Ｔの点灯波形の波形制御によってデジタル値０／１を実現してもよい。高圧放電灯４２の点灯方法は、一般的には波形制御を行わず、図８（ｂ）に示すように矩形波点灯であり、調光は、矩形波単位で電力レベルを変化させている。
【００７５】
（実施形態２）
実施形態２に係る点灯装置１は、記憶部２３に格納されている記憶データを外部に出力するための入力電圧Ｖｉｎの確定条件が２段階に設定されている点で、実施形態１に係る点灯装置１と相違する。以下、本実施形態の点灯装置１について図９，１０を用いて説明する。なお、実施形態１の点灯装置１と同様の構成要素については、同一の符号を付して説明を省略する。
【００７６】
本実施形態のマイコン２１は、図９（ａ）に示すように、入力電圧Ｖｉｎが基準電圧範囲ΔＶの下限値Ｖ０より低い電圧値Ｖ２以下である状態が所定の第１の時間ｔ１継続することを検出する。上記条件が確定した場合、マイコン２１は、基準電圧範囲ΔＶの上限値Ｖ１より高い電圧値Ｖ３以上である状態が所定の第２の時間ｔ２継続することを検出する。上記条件が確定した場合、マイコン２１は、光源用端子部１１を介して記憶部２３の記憶データを外部に出力する。なお、実施形態１のマイコン２１と同様の機能については説明を省略する。
【００７７】
次に、本実施形態に係る点灯装置１の動作について図１０を用いて説明する。まず、電源投入後、マイコン２１は、時間カウント値をクリアし（図１０のＳ１１）、入力電圧Ｖｉｎが基準電圧範囲ΔＶである状態で時間ｔ０経過したか否かを判定する（Ｓ１２）。ステップＳ１２において時間ｔ０が経過したと判定した場合、マイコン２１は通常点灯動作モードになり、点灯装置１は通常の点灯動作を行う（Ｓ２２）。ステップＳ２において時間ｔ０が経過していないと判定した場合、マイコン２１は、入力電圧Ｖｉｎが電圧値Ｖ２以下であるか否かを判定する（Ｓ１３）。入力電圧Ｖｉｎが電圧値Ｖ２より大きい場合、ステップＳ１１に戻り、マイコン２１は時間カウント値をクリアする。入力電圧Ｖｉｎが電圧値Ｖ２以下である場合、マイコン２１は時間カウント値をインクリメントし（Ｓ１４）、時間カウント値が第１の時間ｔ１以上であるか否かを判定する（Ｓ１５）。時間カウント値が第１の時間ｔ１未満である場合、ステップＳ１２に戻る。時間カウント値が第１の時間ｔ１以上である場合、マイコン２１は時間カウント値をクリアし（Ｓ１６）、入力電圧Ｖｉｎが基準電圧範囲ΔＶである状態で時間ｔ０経過したか否かを判定する（Ｓ１７）。ステップＳ１７において時間ｔ０が経過したと判定した場合、マイコン２１は通常点灯動作モードになり、点灯装置１は通常の点灯動作を行う（Ｓ２２）。ステップＳ１７において時間ｔ０が経過していないと判定した場合、マイコン２１は、入力電圧Ｖｉｎが電圧値Ｖ３以上であるか否かを判定する（Ｓ１８）。入力電圧Ｖｉｎが電圧値Ｖ３未満である場合、ステップＳ１６に戻り、マイコン２１は時間カウント値をクリアする。入力電圧Ｖｉｎが電圧値Ｖ３以上である場合、マイコン２１は時間カウント値をインクリメントし（Ｓ１９）、時間カウント値が第２の時間ｔ２以上であるか否かを判定する（Ｓ２０）。時間カウント値が第２の時間ｔ２未満である場合、ステップＳ１７に戻る。時間カウント値が第２の時間ｔ２以上である場合、マイコン２１は、記憶データの出力を確定し、記憶データを外部に出力する（Ｓ２１）。記憶データの出力を継続したい場合は、入力電圧Ｖｉｎを常に電圧値Ｖ３以上に設定すればよい。記憶データの出力を停止する場合は、入力電圧Ｖｉｎを電圧値Ｖ３未満に設定すればよい。ただし、入力電圧Ｖｉｎを基準電圧範囲ΔＶに設定すると、点灯動作が実行される。
【００７８】
以上、本実施形態の点灯装置１によれば、出力端子部（光源用端子部１１）を介して記憶部２３の記憶データを外部に出力するモード（データ出力モード）に安易に移行することを防止することができるので、外来ノイズや作業ミスによる誤動作（不要なモード移行）を防止することができる。
【００７９】
なお、図９（ｂ）は、確定条件を入力電圧Ｖｉｎの基準電圧範囲ΔＶの上限値Ｖ１以上で２段階にした例を示している。この例では、マイコン２１は、入力電圧Ｖｉｎが基準電圧範囲ΔＶの上限値Ｖ１より高い電圧値Ｖ２以上電圧値Ｖ３未満である状態で所定の第１の時間ｔ１継続することを検出し、上記条件が確定した場合、入力電圧Ｖｉｎが電圧値Ｖ３以上で所定の第２の時間ｔ２継続することを検出し、上記条件が確定した場合、光源用端子部１１を介して記憶部２３の記憶データを外部に出力する。
【００８０】
図９（ｃ）は、確定条件を入力電圧Ｖｉｎの基準電圧範囲ΔＶ内で２段階にした例を示している。この例では、マイコン２１は、入力電圧Ｖｉｎが基準電圧範囲ΔＶの下限値Ｖ０より低い電圧値Ｖ２以上電圧値Ｖ３未満である状態で所定の第１の時間ｔ１継続することを検出し、上記条件が確定した場合、入力電圧Ｖｉｎが電圧値Ｖ３以上電圧値Ｖ０未満で所定の第２の時間ｔ２継続することを検出し、上記条件が確定した後、光源用端子部１１を介して記憶部２３の記憶データを外部に出力する。
【００８１】
確定条件は、上述したような２段階には限定されず、３段階以上であってもよい。
【００８２】
（実施形態３）
実施形態３に係る点灯装置１は、記憶部２３から外部に出力する記憶データを入力電圧Ｖｉｎの確定条件により選択する点で、実施形態１に係る点灯装置１と相違する。以下、本実施形態の点灯装置１について図１１〜１７を用いて説明する。なお、実施形態１の点灯装置１と同様の構成要素については、同一の符号を付して説明を省略する。
【００８３】
本実施形態のマイコン２１は、入力電圧Ｖｉｎの所定電圧値および所定時間の組み合わせにより、記憶部２３から外部に出力する記憶データを選択する。なお、実施形態１のマイコン２１と同様の機能については説明を省略する。
【００８４】
マイコン２１は、例えば図１１に示すように、入力電圧Ｖｉｎのレベルによって、外部に出力する記憶データの領域を選択する。入力電圧Ｖｉｎが基準電圧範囲ΔＶの上限値Ｖ１以上である電圧値Ｖ２以上で第１の時間ｔ１に達した場合（図１１（ａ））には、マイコン２１は、記憶部２３に格納されている記憶データをすべて外部に出力する。一方、基準電圧範囲ΔＶの下限値Ｖ０以下である電圧値Ｖ２以下で第１の時間ｔ１に達した場合（図１１（ｂ））には、マイコン２１は、記憶部２３の一部（ブロックＡ）に格納されている記憶データのみを外部に出力する。
【００８５】
以上、本実施形態の点灯装置１によれば、入力電圧Ｖｉｎに対する種々の入力条件を設定して、それに対応するデータ出力モードおよび外部に出力する記憶データを選択することができる。
【００８６】
なお、図１２，１３に示すようにデータ出力モード（種類）を選択し、外部に出力する記憶データを選択することも可能である。
【００８７】
図１２は、入力電圧Ｖｉｎのレベルと経過時間の長さとの組み合わせにより、外部に出力する記憶データを選択する例を示している。入力電圧Ｖｉｎが基準電圧範囲ΔＶの上限値Ｖ１以上である電圧値Ｖ２以上で第１の時間ｔ１継続した場合、マイコン２１は、通常点灯動作モードではなく、データ出力モードに移行する。入力電圧Ｖｉｎのレベルによって、以下のようにデータ出力モードが選択される。
【００８８】
まず、入力電圧Ｖｉｎが電圧値Ｖ３〜Ｖ４である場合、マイコン２１は、第１のデータ出力モードに移行する。第１のデータ出力モードでは、データ読出用電源５２が図１２（ａ）に示すように入力電圧Ｖｉｎと第２の時間ｔ２の長さとを設定することによって、マイコン２１は、記憶部２３から外部に出力する記憶データの領域を選択し、選択された領域に格納されている記憶データを外部に出力する。記憶データの領域の選択は、任意アドレス（１個の記憶データ）、ブロック単位または全領域のいずれかである。
【００８９】
任意アドレスの記憶データを選択する場合、第１のデータ出力モードに設定後、データ読出用電源５２が入力電圧Ｖｉｎと第２の時間ｔ２とを図１４（ａ）のようにアドレスに対応した値に設定することにより、マイコン２１は、指定するアドレスの記憶データを外部に出力する。例えばアドレス「１５」の記憶データを外部に出力する場合、データ読出用電源５２は、入力電圧Ｖｉｎを電圧値Ｖ４以上電圧値Ｖ５未満とし、５００ｍｓ以上６００ｍｓ未満の間、点灯装置１に印加する。
【００９０】
ブロック単位で記憶データを選択する場合、第１のデータ出力モードに設定後、データ読出用電源５２が入力電圧Ｖｉｎと第２の時間ｔ２とを図１４（ａ）のようにブロックに対応した値に設定することにより、マイコン２１は、指定するブロックの記憶データを外部に出力する。例えばアドレス「１０」から「１９」までのブロックの記憶データを外部に出力する場合、データ読出用電源５２は、入力電圧Ｖｉｎを電圧値Ｖ４以上電圧値Ｖ５未満とし、１ｓ以上点灯装置１に印加する。
【００９１】
全領域の記憶データを選択する場合、第１のデータ出力モードに設定後、データ読出用電源５２が入力電圧Ｖｉｎと第２の時間ｔ２とを図１４（ａ）のように全領域に対応した値に設定することにより、マイコン２１は、全領域の記憶データを外部に出力する。例えば、データ読出用電源５２は、入力電圧Ｖｉｎを電圧値Ｖ２以上電圧値Ｖ３未満とし、１００ｍｓ以上点灯装置１に印加する。
【００９２】
入力電圧Ｖｉｎや第２の時間ｔ２の長さおよび入力電圧Ｖｉｎと第２の時間ｔ２とによる記憶部２３のアドレスの関係は、上記の限りではなく、用途などに応じて適宜設定される。
【００９３】
続いて、入力電圧Ｖｉｎが電圧値Ｖ４〜Ｖ５である場合、第２のデータ出力モードとする。第２のデータ出力モードでは、マイコン２１は、図１２（ｂ）に示すように、入力電圧Ｖｉｎと第２の時間ｔ２の長さとにより、記憶部２３から外部に出力する記憶データの開始アドレスを選択する。さらに、マイコン２１は、入力電圧Ｖｉｎと第３の時間ｔ３の長さとにより、開始アドレスからの記憶データの個数を選択し、選択された領域に格納されている記憶データを外部に出力する。例えば入力電圧Ｖｉｎと第２，３の時間ｔ２，ｔ３の長さとの関係を図１４（ｂ）のように設定する。アドレス「１５」から３個の記憶データを外部に出力する場合、第２のデータ出力モードに設定後、データ読出用電源５２は、点灯装置１に対し、入力電圧Ｖｉｎを電圧値Ｖ４以上電圧値Ｖ５未満とし、５００ｍｓ以上６００ｍｓ未満印加し、その後、入力電圧Ｖｉｎを電圧値Ｖ３以上電圧値Ｖ４未満とし、３００ｍｓ以上４００ｍｓ未満印加する。
【００９４】
入力電圧Ｖｉｎ、第２，３の時間ｔ２，ｔ３の長さ、および入力電圧Ｖｉｎと第２，３の時間ｔ２，ｔ３の長さとによる記憶部２３のアドレスの関係は、上記の限りでなく、用途などに応じて適宜設定される。
【００９５】
入力電圧Ｖｉｎが電圧値Ｖ５〜Ｖ６である場合、第３のデータ出力モードとする。第３のデータ出力モードでは、マイコン２１は、記憶部２３に格納されている記憶データの個数を外部に出力する。図１２（ｃ）に示すように、入力電圧Ｖｉｎと第１の時間ｔ１とにより、第３のデータ出力モードに設定後、マイコン２１は、記憶部２３に格納されている記憶データの個数を外部に出力する。
【００９６】
なお、入力電圧Ｖｉｎの入力条件、データ出力モードの数・種類および記憶データの出力内容は、上記の限りではなく、用途などに応じて適宜設定される。
【００９７】
図１３は、入力電圧Ｖｉｎのレベルの組み合わせにより、記憶部２３から外部に出力する記憶データを選択する。入力電圧Ｖｉｎが基準電圧範囲ΔＶの上限値Ｖ１以上である電圧値Ｖ２以上で第１の時間ｔ１継続した場合、通常点灯動作モードではなく、データ出力モードに移行する。入力電圧Ｖｉｎのレベルによって、以下のようにデータ出力モード（種類）が選択される。
【００９８】
まず、入力電圧Ｖｉｎが電圧値Ｖ４以上である場合、第１のデータ出力モードとする。第１のデータ出力モードでは、図１３（ａ）に示すように、第１の時間ｔ１での入力電圧Ｖｉｎと第２の時間ｔ２での入力電圧Ｖｉｎとにより、マイコン２１は、記憶部２３から外部に出力する記憶データのアドレスを選択し、選択されたアドレスに格納されている記憶データを外部に出力する。記憶部２３のアドレス構成は、図１５（ａ）に示すようにブロック単位で０からｋまで割り当てられ、ブロックごとに０からｍまでを割り当てられる。第１の時間ｔ１での入力電圧Ｖｉｎのレベルによってブロックを選択し、第２の時間ｔ２での入力電圧Ｖｉｎのレベルによって、選択したブロック内での指定したアドレスに対応する領域を選択する。例えばアドレス「ｍ＋２」の記憶データを外部に出力する場合、データ読出用電源５２は、入力電圧Ｖｉｎを電圧値Ｖ５以上電圧値Ｖ６未満で第１の時間ｔ１以上点灯装置１に印加し、データ出力モードおよびブロックを選択し、その後、入力電圧Ｖｉｎを電圧値Ｖ４以上電圧値Ｖ５未満で第２の時間ｔ２以上点灯装置１に印加する。
【００９９】
入力電圧Ｖｉｎ、第１，２の時間ｔ１，ｔ２の長さおよび記憶部２３のアドレス構成は、上記の限りではなく、用途などに応じて適宜設定される。
【０１００】
続いて、入力電圧Ｖｉｎが電圧値Ｖ３〜Ｖ４である場合、第２のデータ出力モードとする。第２のデータ出力モードでは、図１３（ｂ）に示すように、第２の時間ｔ２での入力電圧Ｖｉｎにより、マイコン２１は、外部に出力する記憶データのブロックを選択し、選択されたブロックに格納されている記憶データを外部に出力する。記憶部２３のアドレス構成は、図１５（ｂ）に示すようにブロック単位で０からｋまでを割り当てられる。第２の時間ｔ２での入力電圧Ｖｉｎのレベルによって、ブロックを選択する。ブロックの選択として、任意なブロックまたは全ブロックのいずれかを選択する。全ブロックを選択する場合は、第２の時間ｔ２での入力電圧Ｖｉｎを電圧値Ｖ２以上電圧値Ｖ３未満とする。任意なブロックを選択する場合は、第２の時間ｔ２での入力電圧Ｖｉｎを電圧値Ｖ３以上とし、各ブロックに対応した電圧を印加する。例えば、ブロック「１」の記憶データを選択する場合、データ読出用電源５２は、入力電圧Ｖｉｎを電圧値Ｖ３以上電圧値Ｖ４未満とした状態で第１の時間ｔ１以上点灯装置１に印加し、第２のデータ出力モードを選択し、その後、入力電圧Ｖｉｎを電圧値Ｖ４以上電圧値Ｖ５未満とした状態で第２の時間ｔ２以上点灯装置１に印加する。
【０１０１】
入力電圧Ｖｉｎ、第１，２の時間ｔ１，ｔ２の長さおよび記憶部２３のアドレス構成は、上記の限りではなく、用途などに応じて適宜設定される。
【０１０２】
入力電圧Ｖｉｎが電圧値Ｖ２〜Ｖ３である場合、第３のデータ出力モードとする。第３のデータ出力モードでは、マイコン２１は、記憶部２３に格納されている記憶データの個数を外部に出力する。図１３（ｃ）に示すように、入力電圧Ｖｉｎと第１の時間ｔ１とにより、第３のデータ出力モードに設定後、マイコン２１は、記憶部２３に格納されている記憶データの個数を外部に出力する。
【０１０３】
なお、入力電圧Ｖｉｎの入力条件、データ出力モードの数・種類および記憶データの出力内容は、上記の限りではなく、用途などに応じて適宜設定される。
【０１０４】
図１６は、入力電圧Ｖｉｎのレベルを２値とし、コマンドを設定し、設定したコマンドによって、外部に出力する記憶データを選択する。入力電圧Ｖｉｎが基準電圧範囲ΔＶの上限値Ｖ１以上である電圧値Ｖ２以上の状態で第１の時間ｔ１継続した場合、マイコン２１は、通常点灯動作モードではなく、データ出力モードに移行する。データ出力モードにおいて、マイコン２１は、入力電圧Ｖｉｎが電圧値Ｖ２以上電圧値Ｖ３未満である場合、値を０とし、入力電圧Ｖｉｎが電圧値Ｖ３以上である場合、値を１とする。マイコン２１は、所定個数の入力電圧Ｖｉｎのレベルの組み合わせによって、以下のようにデータ出力モードを選択し、外部に出力する記憶データの領域を選択する。例えば図１７に示すように、第１，２，３の時間ｔ１，ｔ２，ｔ３のタイミングでの入力電圧Ｖｉｎのレベルにより、対応するデータ出力モードを選択し、第４〜ｎの時間ｔ４〜ｔｎの各タイミングでの入力電圧Ｖｉｎのレベルにより、外部に出力する記憶データの領域範囲を指定する。
【０１０５】
まず、第１，２，３の時間ｔ１，ｔ２，ｔ３の入力電圧Ｖｉｎが（０，０，０）である場合、第１のデータ出力モードとする。第１のデータ出力モードでは、マイコン２１は、記憶部２３に格納されている記憶データの個数を外部に出力する。
【０１０６】
第１，２，３の時間ｔ１，ｔ２，ｔ３の入力電圧Ｖｉｎが（０，０，１）である場合、第２のデータ出力モードとする。第２のデータ出力モードでは、マイコン２１は、任意のアドレスを選択し、選択されたアドレスに格納されている記憶データを外部に出力する。図１６，１７のように、第２のデータ出力モードに設定後、マイコン２１は、入力電圧Ｖｉｎと経過時間ｔ４〜ｔｎとにより、アドレス値を指定し、記憶部２３の上記アドレス値に格納されている記憶データを外部に出力する。
【０１０７】
第１，２，３の時間ｔ１，ｔ２，ｔ３の入力電圧Ｖｉｎが（０，１，０）である場合、第３のデータ出力モードとする。第３のデータ出力モードでは、マイコン２１は、任意のブロックを選択し、選択されたブロックに格納されている記憶データを外部に出力する。図１６，１７のように、第３のデータ出力モードに設定後、マイコン２１は、入力電圧Ｖｉｎと第４〜第ｎの時間ｔ４〜ｔｎとにより、ブロックを指定し、記憶部２３の上記ブロックに格納されている記憶データを外部に出力する。
【０１０８】
第１，２，３の時間ｔ１，ｔ２，ｔ３の入力電圧Ｖｉｎが（０，１，１）である場合、第４のデータ出力モードとする。第４のデータ出力モードでは、マイコン２１は、記憶部２３に格納されている記憶データをすべて外部に出力する。図１６，１７のように、第４のデータ出力モードに設定後、マイコン２１は、記憶部２３に格納されている記憶データをすべて外部に出力する。
【０１０９】
第１，２，３の時間ｔ１，ｔ２，ｔ３の入力電圧Ｖｉｎが（１，０，０）である場合、第５のデータ出力モードとする。第５のデータ出力モードでは、マイコン２１は、開始アドレスを選択し、開始アドレスからの記憶データの個数を選択し、選択された領域に格納されている記憶データを外部に出力する。第５のデータ出力モードに設定後、マイコン２１は、入力電圧Ｖｉｎと第４〜ｎの時間ｔ４〜ｔｎとによって、外部に出力する記憶データの開始アドレスおよび個数を設定し、記憶部２３の指定した範囲に格納されている記憶データを外部に出力する。
【０１１０】
第１，２，３の時間ｔ１，ｔ２，ｔ３の入力電圧Ｖｉｎが（１，０，１）である場合、第６のデータ出力モードとする。第６のデータ出力モードでは、マイコン２１は、記憶部２３に格納されている記憶データの最新データを含み、それ以前の記憶データの個数を選択し、選択された領域に格納されている記憶データを外部に出力する。第６のデータ出力モードに設定後、マイコン２１は、入力電圧Ｖｉｎと第４〜ｎの時間ｔ４〜ｔｎとにより、最新データからそれ以前の記憶データを外部に出力する範囲（データ数）を設定し、記憶部２３の最新データを含む過去分の記憶データを外部に出力する。
【０１１１】
なお、図４に示すように電源５が２系統ある場合、一方にマイコン２１が動作する電源電圧を与え、０，１を判定する電圧の電圧値を電圧値Ｖ０以下とし、その電圧を他方に与えて、判定してもよい。当然、電源５が１系統である場合でも、マイコン２１に電源供給できる場合は、０，１判定を電圧値Ｖ０以下で実行してもよい。
【０１１２】
なお、入力電圧Ｖｉｎの入力条件、データ出力モードの数・種類および記憶データの出力内容は、上記の限りではなく、用途などに応じて適宜設定される。
【０１１３】
また、上述したような記憶部２３から外部に出力する記憶データを入力電圧Ｖｉｎの確定条件により選択する機能を実施形態２の点灯装置１に適用してもよい、
（実施形態４）
実施形態４に係る点灯装置１は、図１８に示すように、記憶部２３に格納されている記憶データを信号出力部１９から外部に出力する点で、実施形態１に係る点灯装置１と相違する。以下、本実施形態の点灯装置１について図１８を用いて説明する。なお、実施形態１の点灯装置１と同様の構成要素については、同一の符号を付して説明を省略する。
【０１１４】
信号出力部１９は、光源４の現在の状態を外部に報知するために設けられている。つまり、信号出力部１９は、光源４の正常と異常とを報知する。具体的には、信号出力部１９からは、信号出力部１９の接続先に報知信号が出力される。信号出力部１９は出力端子部の一つである。
【０１１５】
本実施形態のマイコン２１は、入力端子部１２に所定電圧値以上で所定時間以上の入力電圧Ｖｉｎが印加された場合、または、所定電圧値以下で所定時間以上の入力電圧Ｖｉｎが印加された場合に、通常点灯動作モードではなく、データ出力モードに移行する。この場合、マイコン２１は、記憶部２３に格納されている記憶データを光源用端子部１１から外部に出力するのではなく、信号出力部１９から外部に出力する。
【０１１６】
一般的に、報知信号は、光源４の正常と異常とを報知するための信号であるため、報知信号の出力レベルはハイ（Ｈ）とロー（Ｌ）の２値であり、いずれか一方の値を維持している。通常点灯動作モードでは、上記のように正常／異常に伴い、ハイの値およびローの値を信号出力部１９から外部に出力し、データ出力モードでは、出力信号Ｓ１の形態を、ＵＡＲＴやＣＡＮ、ＬＩＮなどに切替信号を信号出力部１９から外部に出力する。受信については、報知信号と各プロトコルでの出力信号Ｓ１を受信可能な機器を信号出力部１９に接続し、記憶データを読み取る。
【０１１７】
以上、本実施形態の点灯装置１によれば、光源４が接続される光源用端子部１１に、記憶部２３に格納されている記憶データを外部に出力するための負荷を接続する必要なく、上記記憶データを読み出すことができる。
【０１１８】
なお、上述した記憶部２３に格納されている記憶データを信号出力部１９から外部に出力する機能を実施形態２，３の点灯装置１に適用してもよい。この場合、点灯装置１は信号出力部１９を備えている必要がある。
【０１１９】
（実施形態５）
実施形態５に係る点灯装置１は、光源用端子部１１に、光源４に代えて抵抗Ｒ８が接続されている点で、実施形態１に係る点灯装置１と相違する。以下、本実施形態の点灯装置１について図１９，２０を用いて説明する。なお、実施形態１の点灯装置１と同様の構成要素については、同一の符号を付して説明を省略する。
【０１２０】
本実施形態のマイコン２１は、入力端子部１２に所定電圧値以上で所定時間以上の入力電圧Ｖｉｎが印加された場合、または、所定電圧値以下で所定時間以上の入力電圧Ｖｉｎが印加された場合に、通常点灯動作モードではなく、データ出力モードに移行する。この場合、マイコン２１は、電力供給回路１３の出力を変化させて、出力電圧により記憶データを外部に出力する。
【０１２１】
出力電圧の制御としては、電力供給回路１３が低電圧出力（５Ｖ系）になるように制御する場合（第１の場合）、電力供給回路１３が低電圧出力になるようには制御せず、光源用端子部１１に接続されている抵抗Ｒ８の抵抗値に対応した出力に制御する場合（第２の場合）などがある。
【０１２２】
第１の場合、０Ｖ／５Ｖ相当の出力によってデジタル値０／１を実現する。第２の場合、定格出力／消灯によってデジタル値０／１を実現する方法と、定格出力／調光出力によってデジタル値０／１を実現する方法と、第１の調光レベル／第２の調光レベルによってデジタル値０／１を実現する方法とがある。
【０１２３】
受信については、第１の場合、図１９（ａ）に示すように光源用端子部１１に抵抗Ｒ８が接続され、光源用端子部１１の端子１１１，１１２間の出力信号Ｓ１（抵抗Ｒ８の両端電圧）を受信可能な受信機器（図示せず）が抵抗Ｒ８に対して接続される。これにより、上記受信機器は、点灯装置１から記憶データを読み取ることができる。
【０１２４】
第２の場合、図１９（ｂ）に示すように光源用端子部１１に２つの抵抗Ｒ８，Ｒ９が直列に接続され、光源用端子部１１の端子１１１，１１２間の出力信号（分圧信号）Ｓ１を受信可能な受信機器（図示せず）が抵抗Ｒ８，Ｒ９（端子７２）に対して接続される。これにより、上記受信機器は、点灯装置１から記憶データを読み取ることができる。
【０１２５】
以上、本実施形態の点灯装置１によれば、光源４を用いて記憶データを出力する場合のように光源４の光出力が安定する時間を待つ必要がなく、作業者の工数を低減することができるので、記憶部２３に格納されている記憶データを容易に読み出すことができる。
【０１２６】
なお、光源４が蛍光灯４３である場合、受信については、光源用端子部１１の端子１１１，１１２間に検出回路（図示せず）を追加し、電圧を直流にして、記憶データを読み取る。
【０１２７】
点灯装置１が高圧放電灯４２を点灯させる装置である場合、マイコン２１は、電力供給回路１３の出力を変化させたり、極性反転回路３１の動作を変化させたりすることで、出力電圧により記憶データを外部に出力する。出力信号の形態は、ＵＡＲＴやＣＡＮ、ＬＩＮなどのプロトコルに従った形態である。
【０１２８】
極性反転回路３１を備える構成の場合、マイコン２１は、通常点灯動作モードでは、図２０（ａ）に示すようにスイッチング素子Ｑ２，Ｑ５とオンにし、スイッチング素子Ｑ３，Ｑ４をオフにすることと、スイッチング素子Ｑ２，Ｑ５をオフにし、スイッチング素子Ｑ３，Ｑ４をオンにすることとを交互に繰り返す。
【０１２９】
一方、データ出力モードでは、デジタル値０／１を実行する場合、マイコン２１は、各スイッチング素子Ｑ２〜Ｑ５を図２０（ｂ）に示すように設定する。スイッチング素子Ｑ３とスイッチング素子Ｑ４は常にオフにし、スイッチング素子Ｑ５は常にオンにし、スイッチング素子Ｑ２をオンオフすることにより、デジタル値０／１を実現する。
【０１３０】
上述したように光源用端子部１１に接続された抵抗Ｒ８（または抵抗Ｒ８，Ｒ９）を用いて記憶データを読み出す機能を実施形態２，３の点灯装置１に適用してもよい。
【０１３１】
なお、各実施形態の点灯装置１と、光源４を取り付けるための器具本体とで灯具を構成することができる。
【０１３２】
また、各実施形態の点灯装置１は、例えばヘッドライトなどに用いて車両に設置することができる。
【符号の説明】
【０１３３】
１  点灯装置
１１  光源用端子部
１２  入力端子部
１３  電力供給回路（点灯回路部）
１４  制御回路（点灯回路部）
１６  出力電流検出回路（光源状態検出部）
１７  出力電圧検出回路（光源状態検出部）
１８  入力電圧検出回路（入力電圧検出部）
１９  信号出力部
２１  マイコン
２３  記憶部
４  光源
５  電源
【図１】
0005555132.tif 000002
【図２】
0005555132.tif 000003
【図３】
0005555132.tif 000004
【図４】
0005555132.tif 000005
【図５】
0005555132.tif 000006
【図６】
0005555132.tif 000007
【図７】
0005555132.tif 000008
【図８】
0005555132.tif 000009
【図９】
0005555132.tif 000010
【図１０】
0005555132.tif 000011
【図１１】
0005555132.tif 000012
【図１２】
0005555132.tif 000013
【図１３】
0005555132.tif 000014
【図１４】
0005555132.tif 000015
【図１５】
0005555132.tif 000016
【図１６】
0005555132.tif 000017
【図１７】
0005555132.tif 000018
【図１８】
0005555132.tif 000019
【図１９】
0005555132.tif 000020
【図２０】
0005555132.tif 000021